【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
画像データに実行する画像処理の種別を示す種別情報を前記画像データに付加したデータを生成するデータ生成手段と、
前記画像データに複数種別の画像処理を行うことが可能な画像処理部であって、前記複数種別の画像処理を実行するために回路構成を変更可能な画像処理部を有する画像処理手段と、
前記データ生成手段が生成したデータを解析し、前記画像処理部の回路構成を前記種別情報が示す画像処理を実行可能な回路構成に変更する指示を行う指示手段とを有し、
前記画像処理手段は、前記指示手段の指示により前記種別情報が示す画像処理が実行可能な回路構成となった前記画像処理部を用いて前記種別情報が示す画像処理を前記画像データに実行することを特徴とする画像処理装置。
【請求項２】
前記データ生成手段は、前記種別情報と前記種別情報が示す画像処理を実行する際の処理内容情報を含むデータを生成し、
前記指示手段によって回路構成の変更が指示された前記画像処理部は、前記処理内容情報に基づいて画像処理を実行することを特徴とする請求項１に記載の画像処理装置。
【請求項３】
ページ単位のページ画像データを入力する入力手段を有し、
前記データ生成手段は、前記入力手段により入力された前記ページ画像データを矩形領域に分割して得た画像データに前記種別情報を付加してパケットデータを生成することを特徴とする請求項１又は２に記載の画像処理装置。
【請求項４】
前記画像処理手段は、前記画像処理部を複数有し、
前記データ生成手段は、前記画像データに実行する複数の画像処理の種別を示す複数の種別情報を前記画像データに付加したデータを生成し、
前記指示手段は、前記データ生成手段が生成したデータを解析し、前記複数の画像処理部を前記複数の種別情報が示す画像処理を実行可能な回路構成とする指示を行い、
前記画像処理手段は、前記指示手段の指示により前記複数の種別情報が示す複数の画像処理が実行可能な回路構成となった前記複数の画像処理部を用いて前記複数の種別情報が示す複数の画像処理を前記画像データに実行することを特徴とする請求項１乃至３のいずれかに記載の画像処理装置。
【請求項５】
前記画像データに対して前記複数種別の画像処理を連続して実行する場合、前記データ生成手段は、前記複数の種別情報と、前記複数の種別情報が示す複数種別の画像処理を実行する実行順序を示す順序情報を前記画像データに付加することを特徴とする請求項４に記載の画像処理装置。
【請求項６】
前記指示手段によって変更が指示された前記画像処理部に前記画像データを転送するよう、前記種別情報を前記複数の画像処理部のいずれかを指定する指定情報に変換する変換手段と、
前記生成手段が生成したデータを前記指定情報にて指定された画像処理部へ転送する転送手段と、
を有することを特徴とする請求項４又は５に記載の画像処理装置。
【請求項７】
前記データ生成手段は、前記種別情報と共に前記画像データを前記画像処理手段が処理する際の優先度を示す優先度情報を前記画像データに付加し、
前記データ生成手段が生成するデータに複数の前記種別情報が含まれており、かつ前記優先度情報が高い優先度を示す場合、前記指示手段は、２つ以上の前記画像処理部を前記複数の種別情報で指定された画像処理を行うように回路構成を変更する指示を行い、前記データ生成手段が生成するデータに複数の前記種別情報が含まれており、かつ前記優先度情報が低い優先度を示す場合、前記指示手段は、１つの画像処理部を前記複数の種別情報のいずれかで指定された画像処理を行うように回路構成を変更するする指示を行うことを特徴とする請求項４乃至６のいずれかに記載の画像処理装置。
【請求項８】
画像データに実行する画像処理の種別を示す種別情報を前記画像データに付加したデータを生成するデータ生成ステップと、
前記画像データに複数種別の画像処理を行うことが可能な画像処理部の回路構成を前記種別情報が示す画像処理を実行可能な回路構成に変更する指示を行う指示ステップと、
前記指示ステップによって変更が指示された前記画像処理部にて前記種別情報が示す画像処理を前記画像データに実行する画像処理ステップと、
を有することを特徴とする画像処理方法。
【請求項９】
前記データ生成ステップは、前記種別情報と前記種別情報が示す画像処理を実行する際の処理内容情報を含むデータを生成し、
前記指示ステップにて回路構成の変更が指示された前記画像処理部は、前記処理内容情報に基づいて画像処理を実行することを特徴とする請求項８に記載の画像処理方法。
【請求項１０】
ページ単位のページ画像データを入力する入力ステップを有し、
前記データ生成ステップは、前記入力ステップにて入力された前記ページ画像データを矩形領域に分割して得た画像データに前記種別情報を付加してパケットデータを生成することを特徴とする請求項８又は９に記載の画像処理装置。
【請求項１１】
前記データ生成ステップは、前記画像データに実行する複数の画像処理の種別を示す複数の種別情報を前記画像データに付加したデータを生成し、
前記指示ステップは、前記データ生成ステップが生成したデータを解析し、複数の前記画像処理部を前記複数の種別情報が示す画像処理を実行可能な回路構成とする指示を行い、
前記画像処理ステップは、前記指示ステップの指示により前記複数の種別情報が示す複数の画像処理が実行可能な回路構成となった前記複数の画像処理部を用いて前記複数の種別情報が示す複数の画像処理を前記画像データに実行することを特徴とする請求項８乃至１０のいずれかに記載の画像処理方法。
【請求項１２】
前記画像データに対して前記複数種別の画像処理を連続して実行する場合、前記データ生成ステップは、複数の前記種別情報と、前記複数の種別情報が示す複数種別の画像処理を実行する実行順序を示す順序情報を前記領域画像に付加することを特徴とする請求項１１に記載の画像処理方法。
【請求項１３】
前記指示ステップにて変更が指示された前記画像処理部に前記画像データを転送するよう、前記種別情報を前記複数の画像処理部のいずれかを指定する指定情報に変換する変換ステップと、
前記生成ステップが生成したデータを前記指定情報にて指定された画像処理部へ転送する転送ステップと、
を有することを特徴とする請求項１１又は１２のいずれかに記載の画像処理方法。
【請求項１４】
前記データ生成ステップは、前記種別情報と共に前記画像データを前記複数の画像処理部が処理する際の優先度を示す優先度情報を前記画像データに付加し、
前記データ生成ステップが生成するデータに複数の前記種別情報が含まれており、かつ前記優先度情報が高い優先度を示す場合、前記指示ステップは、２つ以上の前記画像処理部を前記複数の種別情報で指定された画像処理を行うように回路構成を変更する指示を行い、前記データ生成ステップが生成するデータに複数の前記種別情報が含まれており、かつ前記優先度情報が低い優先度を示す場合、前記指示ステップは、１つの画像処理部を前記複数の種別情報のいずれかで指定された画像処理を行うように回路構成を変更する指示を行うことを特徴とする請求項１１乃至１３のいずれかに記載の画像処理方法。
【手続補正２】
【補正対象書類名】明細書
【補正対象項目名】発明の名称
【補正方法】変更
【補正の内容】
【発明の名称】画像処理装置及び画像処理方法
【手続補正３】
【補正対象書類名】明細書
【補正対象項目名】０００１
【補正方法】変更
【補正の内容】
【０００１】
本発明は、画像処理装置及び画像処理方法に関する。
【手続補正４】
【補正対象書類名】明細書
【補正対象項目名】００１０
【補正方法】変更
【補正の内容】
【００１０】
本発明は、上述した問題点を、下記の手段によって解決するために為されたものである。すなわち、本発明の画像処理装置は、画像データに実行する画像処理の種別を示す種別情報を前記画像データに付加したデータを生成するデータ生成手段と、前記画像データに複数種別の画像処理を行うことが可能な画像処理部であって、前記複数種別の画像処理を実行するために回路構成を変更可能な画像処理部を有する画像処理手段と、前記データ生成手段が生成したデータを解析し、前記画像処理部の回路構成を前記種別情報が示す画像処理を実行可能な回路構成に変更する指示を行う指示手段とを有し、前記画像処理手段は、前記指示手段の指示により前記種別情報が示す画像処理が実行可能な回路構成となった前記画像処理部を用いて前記種別情報が示す画像処理を前記画像データに実行することを特徴とする。
【手続補正５】
【補正対象書類名】明細書
【補正対象項目名】００１１
【補正方法】変更
【補正の内容】
【００１１】
本発明は、上述した問題点を、下記の手段によって解決するために為されたものである。すなわち、本発明の画像処理方法は、画像データに実行する画像処理の種別を示す種別情報を前記画像データに付加したデータを生成するデータ生成ステップと、前記画像データに複数種別の画像処理を行うことが可能な画像処理部の回路構成を前記種別情報が示す画像処理を実行可能な回路構成に変更する指示を行う指示ステップと、前記指示ステップによって変更が指示された前記画像処理部にて前記種別情報が示す画像処理を前記画像データに実行する画像処理ステップとを有することを特徴とする。
【手続補正６】
【補正対象書類名】明細書
【補正対象項目名】００１２
【補正方法】変更
【補正の内容】
【００１２】
本発明によれば、画像データに付加された画像データに実行する画像処理の種別を示す種別情報に基づいて画像処理部の回路構成を変更し、画像データに適切な画像処理を実行することができる。